(57)【特許請求の範囲】
【請求項１】
ノズル本体に対する操作部材の動作に連動して止水から通水に切り換え、この通水状態のまま維持するようにロックし、該操作部材に備えられたロック解除手段の押圧操作により、上記ロックを解除して止水状態に切り換える散水ノズルであって、
前記ノズル本体に対し接近及び離隔する方向へ移動自在に設けられて係合部を有する前記操作部材と、
前記操作部材に対して該操作部材の作動方向と同じ方向へ移動自在に設けられる前記ロック解除手段と、
前記ノズル本体に対し前記ロック解除手段の作動方向と交差する方向へ移動自在に設けられて前記操作部材の前記係合部と対向する掛止部を有するストッパーとを備え、
前記操作部材は、前記ストッパーの一部と対向して傾斜状に設けられるカム部を有し、
前記ストッパーは、前記カム部と接触し摺動するように設けられる従動節を有し、前記ノズル本体に対する前記操作部材の接近動作に伴う前記カム部の接近移動により、前記従動節が前記カム部に沿って摺動し該ストッパー全体がロック方向へ回動して前記掛止部を前記操作部材の前記係合部に係止させ、前記操作部材に対する前記ロック解除手段の押圧操作により、該ストッパーがロック解除方向へ移動して前記掛止部を前記操作部材の前記係合部から外すように配置されることを特徴とする散水ノズル。
【請求項２】
前記操作部材と前記ロック解除手段と間に弾性部材を介装し、該ロック解除手段をその押圧方向と逆方向へ弾性的に押圧して、前記操作部材及び前記ロック解除手段を相互に当接させることを特徴とする請求項１記載の散水ノズル。
【発明の詳細な説明】
【技術分野】
【０００１】
本発明は、ホースの先端に取り付けられて任意に通水（散水）と止水とを行えるようにした散水ノズルに関する。
詳しくは、ノズル本体に対する操作部材の動作に連動して止水から通水に切り換え、この通水状態を維持するようにロックし、該操作部材に備えられたロック解除手段の押圧操作により、上記通水状態のロックを解除して止水状態に切り換える散水ノズルに関する。
【背景技術】
【０００２】
従来、この種の散水ノズルとして、ノズル本体（散水器本体）の下面位置にストッパー（垂下部材）を固定し、操作部材（操作レバー）が一体形成されたケース本体に、ロック解除手段（ロック解除レバー）を回動可能に軸支すると共に、該ストッパーの直下にロック部材をピンで回動可能に軸支し、上記操作部材の接近操作により、ロック部材を回転してストッパーの爪にロック係合させ、またこのロック状態でロック解除手段を押圧操作すると、それでロック解除手段の一端が押圧され、それにより該ロック解除手段を逆のロック解除方向へ回転させてストッパーの爪から外すものがある（例えば、特許文献１参照）。
【０００３】
【特許文献１】特開平９−１２２５３８号公報（第３−４頁、図１−３）
【発明の開示】
【発明が解決しようとする課題】
【０００４】
しかし乍ら、このような従来の散水ノズルでは、ロック解除手段の押圧動作をロック部材の回転動作に変換してストッパーからロック解除するため、動力伝達にロスが発生し易く、特にロック解除手段からの押圧位置が、ロック部材の回転中心に近いと、大きな力(トルク)が必要となって、押圧する指への負担が大きく、それにより操作性に劣るという問題があった。
更に、ノズル本体に固定されたストッパーとロック解除手段との間にロック部材を介装する必要があるため、その分だけ構造が複雑化して製造コストが高くなるという問題もあった。
【０００５】
本発明のうち請求項１記載の発明は、簡単な構造でスムーズにロック解除すること、部品点数を増やすことなくロック動作を確実に行うことを目的としたものである。
請求項２記載の発明は、請求項１に記載の発明の目的に加えて、操作部材に対するロック解除手段のガタ付きを防止することを目的としたものである。
【課題を解決するための手段】
【０００６】
前述した目的を達成するために、本発明のうち請求項１記載の発明は、ノズル本体に対する操作部材の動作に連動して止水から通水に切り換え、この通水状態のまま維持するようにロックし、該操作部材に備えられたロック解除手段の押圧操作により、上記ロックを解除して止水状態に切り換える散水ノズルであって、前記ノズル本体に対し接近及び離隔する方向へ移動自在に設けられて係合部を有する前記操作部材と、前記操作部材に対して該操作部材の作動方向と同じ方向へ移動自在に設けられる前記ロック解除手段と、前記ノズル本体に対し前記ロック解除手段の作動方向と交差する方向へ移動自在に設けられて前記操作部材の前記係合部と対向する掛止部を有するストッパーとを備え、前記操作部材は、前記ストッパーの一部と対向して傾斜状に設けられるカム部を有し、前記ストッパーは、前記カム部と接触し摺動するように設けられる従動節を有し、前記ノズル本体に対する前記操作部材の接近動作に伴う前記カム部の接近移動により、前記従動節が前記カム部に沿って摺動し該ストッパー全体がロック方向へ回動して前記掛止部を前記操作部材の前記係合部に係止させ、前記操作部材に対する前記ロック解除手段の押圧操作により、該ストッパーがロック解除方向へ移動して前記掛止部を前記操作部材の前記係合部から外すように配置されることを特徴とするものである。
請求項２記載の発明は、請求項１記載の発明の構成に、前記操作部材と前記ロック解除手段と間に弾性部材を介装し、該ロック解除手段をその押圧方向と逆方向へ弾性的に押圧して、前記操作部材及び前記ロック解除手段を相互に当接させる構成を加えたことを特徴とする。
【発明の効果】
【０００７】
本発明のうち請求項１記載の発明は、ノズル本体に対する操作部材の接近動作に伴い、ストッパーがロック方向へ移動して掛止部を操作部材の係合部に係止させることにより、操作部材の動作がロックされて通水状態のまま維持し、このロックされた通水状態で、操作部材に対するロック解除手段の押圧操作に伴い、ストッパーがロック解除方向へ移動して掛止部を操作部材の係合部から外すことにより、操作部材の動作がロック解除されて止水状態に戻る。
従って、簡単な構造でスムーズにロック解除することができる。
その結果、ロック解除手段の押圧動作をロック部材の回転動作に変換してストッパーからロック解除する従来のものに比べ、動力伝達にロスが発生し難く、小さな力でもロック解除できる。
更に、ノズル本体に固定されたストッパーとロック解除手段との間にロック部材を介装する必要がある従来のものに比べ、ロック部材を介装しない分だけ構造が複簡素化して製造コストの低減化も図れる。
【０００８】
また更に加えて、ノズル本体に対する操作部材の接近動作によるカム部の接近移動に伴い、従動節がカム部に沿って摺動してストッパー全体をロック方向へ回動させることにより、ロック解除手段の押圧操作が、カム部と従動節との摺動で、ストッパー全体の回動に変換される。
従って、部品点数を増やすことなくロック動作を確実に行うことができる。
その結果、低コストで確実なロックができる。
【０００９】
請求項２の発明は、請求項１の発明の効果に加えて、操作部材とロック解除手段と間に弾性部材を介装し、該ロック解除手段をその操作方向と逆方向へ弾性的に押圧して、操作部材及びロック解除手段を相互に当接させることにより、弾性部材でロック解除手段が操作部材と弾性的に当接して振動や音が発生しない。
従って、操作部材に対するロック解除手段のガタ付きを防止することができる。
更に、弾性部材で操作部材とロック解除手段との間に隙間ができないから、砂やゴミなどが内部へ入ることを防止できる。
【発明を実施するための最良の形態】
【００１０】
本発明の散水ノズルＡは、図１〜図６に示す如く、その基端部にホースＨが接続されるノズル本体１と、このノズル本体１に対して移動自在に配備される操作部材２と、この操作部材２に対して移動自在に配備されるロック解除手段３とからなる。
【００１１】
上記ノズル本体１の内部には、ホースＨから供給される水の通水と止水を制御する開閉弁Ｖが組み込まれており、ノズル本体１に対する操作部材２の動作に連動して、該開閉弁Ｖを止水から通水に切り換え、このノズル本体１先端の散水口１ａから所定パターンで散水すると共に、この通水（散水）状態のまま維持するようにロックし、上記ロック解除手段３の押圧操作により、上記通水状態のロックを解除して止水状態に戻すようになっている。
【００１２】
上記ノズル本体１には、ロック解除手段３と対向してストッパー４を、操作部材２及びロック解除手段３の動作方向と交差する方向へ移動自在に設け、このノズル本体１に対して操作部材２を接近操作することで、その運動がストッパー４に伝えられ、それにより該ストッパー４全体をロック方向へ移動して、その掛止部４ａを操作部材２の係合部２ａに係止させ、操作部材２の動作がロックされる。
【００１３】
また、このロックされた通水状態において、ロック解除手段３を押圧操作することにより、その内側面に形成された押動部３ａを、ストッパー４の外端面に形成された受部４ｂに当接して、該ストッパー４全体をロック解除方向へ移動して、その掛止部４ａを操作部材２の係合部２ａから外し、操作部材２の動作がロック解除される。
以下、本発明の一実施例を図面に基づいて説明する。
【実施例１】
【００１４】
この実施例１は、図１、図２及び図６に示す如く、合成樹脂などの材料でピストル型に形成されたノズル本体１に対し操作部材２としてハンドルを前後方向（図面では左右方向）へ回動又は揺動自在に軸支し、この操作部材２に対しロック解除手段３としてボタンを前後方向へ回動又は揺動自在に軸支すると共に、ノズル本体１に対しストッパー４としてフックを上下方向へ回動又は揺動自在に軸支し、操作部材２の前後接近又は離隔動作により、Ｌ型アームＬを介して弁体Ｖ１が上下方向へ往復動し、それに伴い開閉弁Ｖが開弁又は閉弁されるものである。
【００１５】
上記操作部材２を構成するハンドルには、ピストル型ノズル本体１のグリップ前側開口部１ｂから突出して配置され、その内側面には、後述するストッパー４の掛止部４ａと嵌り合う係合部２ａと、ストッパー４の一部と対向するカム部２ｂとを夫々異なる面に連設している。
【００１６】
図示例では、上記ハンドル２の上端がノズル本体１に対して前後揺動自在に軸支され、この軸支部２ｃの近くに、後述するロック解除手段３のボタンと対向して、係合部２ａとカム部２ｂが一体成形された突出部材２ｄを固着している。
また、その他の例として、ハンドル２に係合部２ａとカム部２ｂを突出させて一体的に形成するか又は一体成形することも可能である。
【００１７】
更に、上記カム部２ｂは、図３〜図５に示す如く、左右方向へ背中合わせに一対配置され、夫々ノズル本体１へ向けて徐々に接近するよう傾斜しており、これら傾斜したカム部２ｂに、後述するストッパー４の従動節４ｃが夫々接触して摺接するように配置されている。
【００１８】
上記ロック解除手段３を構成するボタンは、上記ノズル本体１と対向する内側面に押動部３ａを形成し、その逆の外側面に配置された押圧部３ｂを、上記操作部材２のハンドルに開設された開口部２ｅから貫通して外側へ露出させると共に、この操作部材２のハンドルとの間に弾性部材５を介装して、該ロック解除手段３のボタンをその押圧方向と逆方向である前方（図面では左方向）へ弾性的に押圧する。
それにより、操作部材２の開口部２ｅから押圧部３ｂを常時突出させると共に、該ロック解除手段３の一部を操作部材２のハンドルに当接させて、該開口部２ｅとロック解除手段３のボタンとの間に隙間ができないようにしている。
【００１９】
図示例では、上記ボタン３の上方延長部分が操作部材２のハンドルに対して前後揺動自在に軸支され、この軸支部３ｃの下方に配置された内面凹部３ｄから上記ハンドル２の突出部材２ｄに亘り弾性部材５としてコイルバネを介装し、該内面凹部３ｄの下方に上記押動部３ａが斜め前方へ向け傾斜して形成されている。
【００２０】
上記ストッパー４を構成するフックは、操作部材２と近い外側に、上記ハンドルの係合部２ａと嵌り合う掛止部４ａと、上記ロック解除手段３のボタンと対向する押動部３ａと当接する受部４ｂと、上記カム部２ｂと接触摺動する従動節４ｃとを、ノズル本体１に対する軸支部４ｄから前方へ離れた位置に連設している。
特にストッパー４のフックは弾性変形可能な材料で形成することが好ましい。
【００２１】
図示例では、上記フックの後端がノズル本体１に対して上下揺動自在に軸支され、この軸支部４ｄから前方へ略水平に突出するアームの先端に鉤型の掛止部４ａを形成すると共に、この鉤型掛止部４ａの前端上側に受部４ｂが、上記押動部３ａと略平行に向かい合うように斜め後方へ向け傾斜して形成され、更に該軸支部４ｄから斜め前方へ突出する一対アームの先端に従動節４ｃを夫々形成している。
【００２２】
一方、前記開閉弁Ｖの弁体Ｖ１は、図１に示す如く、スプリングなどの弾性部材Ｖ２で常時、閉弁方法へ押圧しており、それによりＬ型アームＬを介して操作部材２のハンドルが、ノズル本体１から離れる方向へ押圧されている。
【００２３】
次に、斯かる散水ノズルＡの作動について説明する。
先ず、図１及び図２の一点鎖線に示す止水状態から図２の実線に示す如く、ノズル本体１に対して操作部材２のハンドルを接近させると、Ｌ型アームＬを介して弁体Ｖ１が下方へ移動し、それに伴い開閉弁Ｖが開弁すると同時に、該ハンドル２のカム部２ｂもノズル本体１へ向けて移動するため、このカム部２ｂと直接接触するストッパー４の従動節４ｃは、図３〜図４に示す如く、傾斜したカム部２ｂに沿って夫々左右方向へ広がる。
【００２４】
この時、ストッパー４のフックは、左右方向へ広がった従動節４ｃへ至るアーム部分が、その撓みを解消するために元の形状に戻ろうとして、傾斜したカム部２ｂに沿ってノズル本体１へ向けて摺動する。
【００２５】
それにより、ストッパー４全体が軸支部４ｄを中心として回動し、それに伴って先端の鉤型掛止部４ａが上方、即ちロック方向へ揺動し、操作部材２の係合部２ａに係止させて、操作部材２の動作がロックされ、通水（散水）状態を維持する。
【００２６】
このロックされた図６の一点鎖線に示す通水状態で、図６の実線に示す如く、ロック解除手段３のボタンを押圧すると、その押動部３ａがストッパー４の受部４ｂに当接して、ストッパー４全体を下方、即ちロック解除方向へ押して揺動させ、その先端の鉤型掛止部４ａを操作部材２の係合部２ａから外す。
【００２７】
それに伴い、図６の二点鎖線に示す如く、スプリングなどの弾性部材Ｖ２により弁体Ｖ１が上方へ移動して開閉弁Ｖが閉弁し、元の止水状態に切り替わると同時に、Ｌ型アームＬを介して操作部材２のハンドルがノズル本体１から離なれ、上述した図１及び図２の一点鎖線に示す止水状態に戻る。
その結果、簡単な構造でありながらスムーズにロック解除可能な散水ノズルを提供できる。
【００２８】
更に本実施例の場合には、ロック解除手段３の押圧操作が、そのカム部２ｂと従動節４ｃとの直接接触で、ストッパー４全体の回動に変換されるため、部品点数を増やすことなくロック動作を確実に行えるという利点がある。
【００２９】
また、操作部材２のハンドルとロック解除手段３のボタンと間に弾性部材５を介装して、該ロック解除手段３がその操作方向と逆方向へ弾性的に押圧して当接されるため、弾性部材５でロック解除手段３が操作部材２と弾性的に当接して振動や音が発生しない。
その結果、操作部材２に対するロック解除手段３のガタ付きを防止できるという利点がある。
また更に、弾性部材５で操作部材２の開口部２ｅとロック解除手段３のボタンとの間に隙間ができないから、砂やゴミなどが内部へ入ることを防止でき、故障やトラブルを防止する。
【００３０】
そして、特開平９−１２２５３８号公報に開示される散水ノズルは、ノズル本体（散水器本体）と操作部材（操作レバー）との間に空間があるため、操作部材（操作レバー）を握る際に、指などを挟んだりする可能性があり危険であると共に、操作部材（操作レバー）を握った状態でノズル本体（散水器本体）とケース本体の前方部分との問に隙間が生じるため、ロック解除して操作部材（操作レバー）が戻った際に、指などを挟んだりする可能性があり危険であるが、本発明の散水ノズルＡには、操作部材２のハンドルを接近又は離隔しても、指などが入る空間や隙間ができないので、安全であるという利点もある。
【００３１】
尚、前示実施例では、ノズル本体１がピストル型に形成される場合を示したが、これに限定されず、ピストル型以外の形状であっても良い。
更に、開閉弁Ｖの構造も図示した構造に限定されず、他の構造であっても良い。
【図面の簡単な説明】
【００３２】
【図１】本発明の散水ノズルの一実施例を示す全体縦断正面図である。
【図２】通水状態を示す部分拡大断面図である。
【図３】ロック直前の作動状態を実線で示す突出部材とストッパーのみの一部切欠拡大正面図である。
【図４】図３の（４）−（４）線に沿える横断平面図である。
【図５】（ａ）が図３の斜視図であり、（ｂ）が逆方向から見た分解斜視図である。
【図６】ロック解除の作動状態を実線で示す部分拡大断面図である。
【符号の説明】
【００３３】
Ａ  散水ノズル                    Ｈ  ホース
Ｌ  Ｌ型アーム                    Ｖ  開閉弁
Ｖ１  弁体                        Ｖ２  弾性部材
１  ノズル本体                    １ａ  散水口
１ｂ  グリップ前側開口部          ２  操作部材（ハンドル）
２ａ  係合部                      ２ｂ  カム部
２ｃ  軸支部                      ２ｄ  突出部材
２ｅ  開口部                      ３  ロック解除手段（ボタン）
３ａ  押動部                      ３ｂ  押圧部
３ｃ  軸支部                      ３ｄ  内面凹部
４  ストッパー（フック）          ４ａ  掛止部
４ｂ  受部                        ４ｃ  従動節
４ｄ  軸支部                      ５  弾性部材
【図１】
0004789143.tif 000002
【図２】
0004789143.tif 000003
【図３】
0004789143.tif 000004
【図４】
0004789143.tif 000005
【図５】
0004789143.tif 000006
【図６】
0004789143.tif 000007